(57)【特許請求の範囲】
【請求項１】
後板を備えた空気調和機本体と、
この空気調和機本体内に収容される熱交換器と、
この熱交換器の上部前面側で、かつ空気調和機本体内に配置される空気清浄装置と、
上記熱交換器および空気清浄装置を一体に連結固定するとともに、これら熱交換器と空気清浄装置を上記後板に取付け固定する固定手段を備え、
上記固定手段は、
金属板体である固定板と、
この固定板に上記熱交換器および空気清浄装置を取付け固定するとともに、この固定板を上記後板に取付け固定する取付け具と
からなることを特徴とする空気調和機。
【請求項２】
上記熱交換器の少なくとも上記空気清浄装置の配置側部分は、その上部が背面側に傾斜しており、
上記固定板に対して空気清浄装置を取付け固定する取付け具は、ほぼ水平方向に向くことを特徴とする請求項１記載の空気調和機。
【請求項３】
上記熱交換器は、前側熱交換器部と後側熱交換器部とで逆Ｖ字状に形成されてなり、
上記固定手段は、上記熱交換器の上方に位置し、後側熱交換器部の背面側上部の空間を利用して後板との取付け固定をなすことを特徴とする請求項１記載の空気調和機。
【発明の詳細な説明】
【０００１】
【発明の属する技術分野】
本発明は、熱交換器の上部前側に空気清浄装置を備えた空気調和機に係り、特に空気清浄装置の取付け固定構造の改良に関する。
【０００２】
【従来の技術】
被空調室内の空気中には、目視できない程度の微細な塵埃が浮遊していることが多い。このような浮遊塵埃は人体に無害であるが、抵抗力の弱っている場合などに、その影響が極くまれに生じると言われている。
【０００３】
したがって、この微細な浮遊塵埃は除去することが望ましい。そこで、空気調和機である室内ユニット本体内に室内熱交換器を配置するとともに、空気清浄装置を配置した機種が多用されている。
【０００４】
普通、上記空気清浄装置は、その上下方向長さが室内熱交換器の上下方向長さよりも短いので、実際には、空気清浄装置は室内熱交換器の熱交換空気吸込み側である前面側で、かつその上部に配置される。
【０００５】
そして、空気清浄装置の取付けは、室内熱交換器の端板に直接ねじ止め固定したり、特開平３−５９３２７号公報に示されるように室内熱交換器を構成する熱交換パイプに差し込み固定するようになっている。
【０００６】
【発明が解決しようとする課題】
このように、空気清浄装置は室内熱交換器の端板にねじで取付けられたり、熱交換パイプに差し込み固定されるが、その一方で、室内熱交換器はねじで後板に取付けられたり、後板に形成される係合部に係止固定されている。
【０００７】
しかるに、これらのいずれの取付け手段においても、空気清浄装置は室内熱交換器を経由して後板に保持されるところから、後板と空気清浄装置および室内熱交換器との互いの位置関係にバラツキが生じ易く、組立て精度が安定しないという不具合がある。
【０００８】
また、近時、室内熱交換器は上部が後方、すなわち後板方向に傾斜して設置されるのが一般的である。そして、空気清浄装置は、この熱交換器の上部前面に取付けられている。空気清浄装置の取付けとしては、上記したように係合固定やねじ止めなどの種々の手段があるが、ねじ止めが固定強度の面から望ましい。
【０００９】
このため熱交換器の端板に、空気清浄装置の一端がねじ止めされるのが最も一般的である。ところが、熱交換器そのものの上部が後方に傾斜しているところからその端板も傾斜しており、空気清浄装置を固定するねじはこの傾斜した端板に対して垂直方向、すなわち、室内ユニット本体の斜め上から螺挿されることになり、メンテナンスなどで室内ユニットを壁面設置した状態で空気清浄装置を取外そうとすると天井面との隙間が狭いため、ねじを外すためのドライバを操作するスペースがなく、空気清浄装置の取外しは極めて困難であった。
【００１０】
さらに、近年、室内熱交換器を前側熱交換器部と後側熱交換器部に分割するとともに、これらを側面視で逆Ｖ字状に構成したものが多用される傾向にある。そして、特に前側熱交換器部は側面視で円弧状または多段折りに形成されていて、この両側端の端板も同様形状となる。
【００１１】
この場合、上記空気清浄装置の上下両端部は前側熱交換器部の端板に２本のねじで取付けられるのであるが、端板は側面視で円弧状または多段折りに形成されるところから、上部側のねじの取付け方向が斜め上からとなる一方、下部側のねじの取付け方向が水平もしくは斜め下からとなり、互いに相違して作業性が悪いものである。
【００１２】
本発明は、上記事情に鑑みなされたものであり、その目的とするところは、空気調和機本体内での空気清浄装置と熱交換器との取付け位置のばらつきをなくして、組立て精度の向上を得る空気調和機を提供しようとするものである。
【００１３】
なお、本発明は、上部が背面側に傾斜して配置されている室内熱交換器の上部前方に空気清浄装置を取付ける場合の取付け方向を統一して、作業性の向上を図った空気清浄装置を提供することもできる。
【００１４】
【課題を解決するための手段】
上記目的を満足するため本発明の空気調和機は、後板を備えた空気調和機本体と、この空気調和機本体内に収容される熱交換器と、この熱交換器の上部前面側で、かつ空気調和機本体内に配置される空気清浄装置と、上記熱交換器および空気清浄装置を一体に連結固定するとともに、これら熱交換器と空気清浄装置を上記後板に取付け固定する固定手段を備え、上記固定手段は、金属板体である固定板と、この固定板に上記熱交換器および空気清浄装置を取付け固定するとともに、この固定板を上記後板に取付け固定する取付け具とからなる。
【００１５】
さらに、上記熱交換器の少なくとも上記空気清浄装置の配置側部分は、その上部が背面側に傾斜しており、上記固定板に対して空気清浄装置を取付け固定する取付け具は、ほぼ水平方向に向く。
【００１６】
さらに、上記熱交換器は、前側熱交換器部と後側熱交換器部とで逆Ｖ字状に形成されてなり、上記固定手段は、上記熱交換器の上方に位置し、後側熱交換器部の背面側上部の空間を利用して後板との取付け固定をなす。
【００２１】
以上のごとき課題を解決するための手段を採用することにより、固定手段が熱交換器と空気清浄装置の両方を固定するので、部品点数が削減し、かつ熱交換器と空気清浄装置および後板の３部品間において適正な間隔を保持する。
【００２２】
さらに、固定板として金属板体を用いることにより、強度が増大し、各部品を固定板にねじ止めするため固定強度が大となる。
さらに、熱交換器にドレン水が生成されても、このドレン水が固定手段を濡らすことがなく、したがって固定手段に錆が発生せず長い耐久性を得る。
【００２３】
さらに、空気清浄装置に固定板を取付ける取付けねじがほぼ水平方向に向いているため、空気調和機の上方に作業空間がない場合でも、上記取付けねじと空気清浄装置の着脱が容易にできる。
【００２４】
さらに、後側熱交換器部上方の空間を、いわゆるデッドスペース化せずに有効利用できる。
また、熱交換器と固定板間の取付けねじの取付け固定方向と、後板と固定板間の取付けねじの取付け固定方向とがほぼ同一となり、固定板の取付け固定と取外しが容易に行なえる。
【００２５】
また、空気清浄装置は、上部と下部の２点でねじ固定されるので強固に取付けられるとともに、これら取付けねじはほぼ水平方向に向くため、空気清浄装置の取付けと取外し作業が容易に行なえる。
【００２６】
また、上部が背面側に傾斜して配置される室内熱交換器の上部前方に空気清浄装置を取付ける場合の、取付けねじの取付け方向を水平に統一して、作業性の向上を得る。
【００２７】
【発明の実施の形態】
以下、本発明の実施の形態を、図面を参照して説明する。
図２ないし図４に示すように、空気調和機の室内ユニットが構成される。
空気調和機本体であるユニット本体１は、開閉自在な前面吸込みグリル２と、この前面吸込みグリル２が設けられるとともに上面吸込みグリル３を有する前面パネル２０と、この前面パネル２０で前方から塞がれる後板４とからなり、横長の箱状に形成される。
【００２８】
このユニット本体１内には、側面視で逆Ｖ字状に形成される室内熱交換器５が配置される。室内熱交換器５は、前面側に位置する前側熱交換器部５Ａと、背面側に位置する後側熱交換器部５Ｂとから構成される。特に、後側熱交換器部５Ｂには、その上面に沿って補助熱交換器部５Ｃが配置されている。
【００２９】
前側熱交換器部５Ａは側面視で円弧状に屈曲形成され、後側熱交換器部５Ｂおよび補助熱交換器部５Ｃは、側面視で直状をなす。特に、前側熱交換器部５Ａの上部は背面側に傾いている。
【００３０】
各熱交換器部５Ａ〜５Ｃは、それぞれ狭小の間隙を存して並設される多数枚のフィンＦと、これらフィンを貫通し、かつ蛇行状に連通される熱交換パイプＰとからなる、いわゆるフィンドチューブタイプである。
【００３１】
特に、図５（Ｂ）に示すように、フィンＦの両側端には断面コ字状に折曲され、かつそれぞれの熱交換器部５Ａ〜５Ｃの側面視形状に合致させた端板Ｔが設けられている。これら端板Ｔは、強固な鉄板からなり、この鉄板に設けられた孔を熱交換パイプＰが貫通している。
【００３２】
そして、特に図５（Ａ）に示すように、この端板Ｔの一部には、後述する固定手段Ｋのためのねじ孔を備えた突出部分４０が設けられている。
この端板Ｔは引掛けまたはねじなどで上記後板４に取付け固定され、よってユニット本体１内における各熱交換器部５Ａ〜５Ｃの位置が設定される。
【００３３】
再び図２ないし図４に示すように、前側熱交換器部５Ａの下部には前ドレンパン６が配置され、後側熱交換器部５Ｂの下部には後ドレンパン７が配置される。これら前，後ドレンパン６，７は、上記後板４に一体に設けられる。
【００３４】
上記前側熱交換器部５Ａと後側熱交換器部５Ｂとの間に、横流ファン８を備えた室内送風機が配置される。また、上記後板４と前ドレンパン６下面部との間に送風路９が形成される。
【００３５】
前面パネル２０の下部には吹出し口１０が開口され、ここには複数の風向案内板１１が回動自在に枢支される。上記上面パネル３には、吸込み口３ａが設けられている。
【００３６】
一方、上記前側熱交換器部５Ａの上部前面側には、この熱交換器部５Ａに極めて近接した状態で、かつ固定手段Ｋを介して空気清浄装置１２が配置される。
このことにより、前面パネル２０は上部側が幅方向に沿って突出し、この突部２Ａに第１の吸込み口１５ａが設けられ、突部２Ａの下部側に沿って第２の吸込み口１５ｂが設けられる。
【００３７】
上記空気清浄装置１２は、前側熱交換器部５Ａに近接して配置される電気集塵機１３と、この電気集塵機１３の側方に並置される脱臭フィルタ１４と、これら電気集塵機１３と脱臭フィルタ１４を収納するケース体５０から構成される。
【００３８】
上記電気集塵機１３および脱臭フィルタ１４は、互いに並行に並べられ、ケース体５０内に収容され一体となっている。そして電気集塵機１３は、周知のように集塵フィルタと放電部とから構成されている。この集塵フィルタと脱臭フィルタ１４は、必要に応じて清掃ができるように取外し可能となっている。なお、針金または金線などで構成される放電部も、必要に応じてこのケース体５０から取外し可能としてもよい。
【００３９】
このようにして構成される空気清浄装置１２は、前側熱交換器部５Ａから前方に突出し、前側熱交換器部５Ａの幅方向に亘って対向する幅方向寸法を有している。
【００４０】
図１（Ａ），（Ｂ）に、固定手段Ｋによる空気清浄装置１２と室内熱交換器５の後板４に対する具体的な取付け固定構造を示す。
上記固定手段Ｋは、金属板体である、たとえば鉄板を折曲形成してなる固定板２１と、取付け具である複数の取付けねじ２２ａ〜２２ｃとから構成される。
【００４１】
そして、取付けねじ２２ａ〜２２ｃを用いて固定板２１に上記空気清浄装置１２と室内熱交換器５を一体に連結固定するとともに、この固定板２１を介して室内熱交換器５と空気清浄装置１２を上記後板４に取付け固定するようになっている。
【００４２】
なお説明すれば、上記固定板２１は室内熱交換器５の上方に位置する。すなわち、固定板２１は室内熱交換器５を構成する前側熱交換器部５Ａの前面側上部から後側熱交換器部５Ｂの上端部を介して補助熱交換器部５Ｃの背面側上部に亘って掛け渡される。
【００４３】
そして、固定板２１は各熱交換器部５Ａ〜５Ｃの両側端に設けられる端板Ｔ上を載り継ぐよう折曲形成され、前側熱交換器部５Ａの端板Ｔと固定板２１とは取付けねじ２２ａによって互いに取付け固定される。
【００４４】
前側熱交換器部５Ａの上端部は背面側に傾斜しているところから、取付けねじ２２ａの螺挿方向は斜め上方からとなる。
上記後板４には、斜めに傾斜する立上げ部２３が設けられていて、上記補助熱交換器部５Ｃ背面の端板Ｔに載る固定板２１の折曲端部２１ａは、この立上げ部２３上面に載るよう折曲形成される。そして、取付けねじ２２ｂによって固定板２１の折曲端部２１ａと後板４は互いに取付け固定される。
【００４５】
上記後板立上げ部２３が斜めに傾斜し、かつこの上面に固定板２１の折曲端部２１ａが載るところから、上記取付けねじ２２ｂの螺挿方向は取付けねじ２２ａと同様に斜め上方からとなる。
【００４６】
しかも、室内熱交換器５は、前側熱交換器部５Ａと後側熱交換器部５Ｂとで逆Ｖ字状をなすから、必然的に後側熱交換器部５Ｂの背面上に空間部Ｓが形成されていて、この空間部Ｓを固定板２１と後板立上げ部２３間の取付けねじ２２ｂ着脱用の作業スペースに利用できる。
【００４７】
一方、固定板２１の前側熱交換器部５Ａ側端部は上記空気清浄装置１２に一体に設けられる取付け用鍔部２５に密接するよう折曲されている。そして、取付けねじ２２ｃによって取付け用鍔部２５と固定板２１の折曲端部２１ｂが互いに取付け固定される。
【００４８】
上記取付け用鍔部２５はほぼ垂直方向に立設され、ここに密接する固定板２１の折曲端部２１ｂも当然、垂直方向に折曲される。したがって、これら取付け用鍔部２５と固定板折曲端部２１ｂとを取付け固定する取付けねじ２２ｃの螺挿方向は、ほぼ水平方向となる。
【００４９】
このようにして、固定板２１と取付けねじ２２ａ〜２２ｃとからなる固定手段Ｋによって空気清浄装置１２と室内熱交換器５とが一体に連結され、さらに、空気清浄装置１２と室内熱交換器５は固定板２１を介して後板４に取付け固定される。
【００５０】
なお、空気清浄装置１２の下部側は前側熱交換器部５Ａの端板Ｔに密着され、かつ取付けねじ２２ｄによって互いに取付け固定される。前側熱交換器部５Ａの形状から、取付けねじ２２ｄの螺挿方向は、ほぼ水平方向である。結局、空気清浄装置１２上下部を取付け固定する各取付けねじ２２ｄの螺挿方向は、互いに水平方向となる。
【００５１】
一方、空気清浄装置１２の長手方向他端部、すなわち固定板２１によるねじ止めとは逆側にはケース体５０から背面の前側熱交換器部５Ａ側に突出する爪部５１が上下２か所に一体に設けられている。この爪部５１は、若干の弾性を有し、上下の２つの熱交換パイプＰ間に前方から押し込むことで挟みこまれ固定されるようになっている。
【００５２】
このようにして構成される空気調和機の室内ユニットであり、室内熱交換器５に対する冷凍サイクル運転をなすとともに横流ファン８を回転すると、被空調室内空気が前面吸込みグリル２の第１，第２の吸込み口１５ａ，１５ｂと、上面吸込みグリル３の上部吸込み口３ａからユニット本体１内に吸込まれる。
【００５３】
第１の吸込み口１５ａから吸込まれた空気は空気清浄装置１２に導かれる。すなわち、脱臭フィルタ１４を通過する空気は、これによって脱臭される一方、電気集塵機１３を通過する空気は帯電部で微細な浮遊塵埃が帯電され、集塵部で捕捉集塵される。この結果、清浄化された空気は室内熱交換器５を構成する前側熱交換器部５Ａに導かれて熱交換をなす。
【００５４】
第２の吸込み口１５ｂから吸込まれる空気は直接、前側熱交換器部５Ａに導かれ熱交換をなす。また、上部吸込み口３ａから吸込まれる空気は、補助熱交換器部５Ｃと後側熱交換器部５Ｂに導かれて熱交換をなす。
【００５５】
これら熱交換器部５Ａ〜５Ｃで熱交換した後の熱交換空気は、横流ファン８から送風路９に案内され、吹出し口１０から被空調室内へ吹出される。熱交換空気は以上の経路を循環し、空気清浄装置１２と室内熱交換器５に導かれることによって、空気清浄化と所望の空気調和を得る。
【００５６】
なお、固定板２１と取付けねじ２２ａ〜２２ｃとからなる固定手段Ｋが室内熱交換器５と空気清浄装置１２の両方を後板４に一体に連結固定するので、必要な部品点数が削減され、かつ室内熱交換器５と空気清浄装置１２および後板４の３部品間において適正な間隔を保持できる。
【００５７】
固定板２１として金属板を用いることにより、高い強度を有する。特に、鉄板を用いれば、廉価にして部品費の低減を得るとともに、耐久性があり、しかも強度的には万全なものとなる。
【００５８】
さらに、固定板２１の位置を室内熱交換器５の上方に位置設定したから、室内熱交換器５で生成されるドレン水が固定板２１にかかることがなく、したがって固定板２１に錆が発生する恐れがない。
【００５９】
固定板２１と空気清浄装置１２間の取付けねじ２２ｃがほぼ水平方向に向いているため、たとえ空内ユニットが被空調室の天井近い壁面に取付けられて、この上方の作業空間が少ない場合でも、メンテナンス時において本体１内から空気清浄装置１２を取外し、あるいは取付ける作業が容易にできる。
【００６０】
空気清浄装置１２は、上部側ばかりでなく下部側も前側熱交換器部５Ａに取付けねじ２２ｄを介してねじ固定される。結局、空気清浄装置１２は上下部２点でねじ固定され、強固に取付け固定されるとともに、これら取付けねじ２２ｃ，２２ｄの螺着方向はともにほぼ水平方向に向くため、メンテナンス時の空気清浄装置１２の着脱作業が容易に行なえる。
【００６１】
また、空気清浄装置１２の他端側では爪部５１を熱交換器５Ａの熱交換パイプＰ間に差し込み固定しているだけであるため、一端を固定しているねじ２２ｄを取外し、そのあと、ケース体５０を手前に引くことで爪部５１が熱交換パイプＰから外れ、空気清浄装置１２を完全に取外すことが極めて容易に行なえる。
【００６２】
また、前側熱交換器部５Ａの端板Ｔと固定板２１間の取付けねじ２２ａと、後板立上り部２３と固定板２１間の取付けねじ２２ｂの螺着方向がともに斜め上方に向き、互いにほぼ同一となる。したがって、製造組立て時と、メンテナンス時における固定板２１の取付けと取外しの作業が容易に行なえる。
【００６３】
特に、室内熱交換器５を逆Ｖ字状に形成し、この後側熱交換器部５Ｂと後板４との間の空間部Ｓを利用して固定板２１と後板立上げ部２３とをねじ固定でき、メンテンス時など広い作業空間が確保され、空間部Ｓの有効利用を図れる。
【００６４】
なお、ここに開示する本発明は、以上の固定手段Ｋのほかに後述する特徴を有するものである。
再び図２に示すように、前面パネル２０の左右両側端で、かつ側面と底面とのなす角部は配管用開口部３０が設けられている。この配管用開口部３０にはパネルブッシング３１が取付けられ、配管用開口部３０は閉成される。
【００６５】
図６に、上記パネルブッシング３１の詳細を示す。このパネルブッシング３１は前面パネル２０と同素材で、同色および同板厚であり、全体的にＬ字状に形成される板片である。
【００６６】
各面部には、必要に応じてノックアウトできるスリット３２が設けられる。そして、各面部の先端には引掛け爪３３が突設されるとともに、この両側にはガイド片３４が一体に設けられる。
【００６７】
各引掛け爪３３とガイド片３４が前面パネル２０の配管用開口部３０端縁に係脱自在になっていて、必要に応じてパネルブッシング３１を前面パネル２０から取外し可能である。
【００６８】
すなわち、室内ユニットの据付け条件に応じて、ユニット本体１の左右いずれか一側方から補助配管や電気配線を引き出す。あるいは、一側方から補助配管と電気配線のいずれか一方を引き出し、他方を他側方から引き出すこともある。
【００６９】
そこで、上記パネルブッシング３１を前面パネル２０の左右両側部に設け、必要に応じて取外すことにより、配管用開口部３０が開口されて、左右いずれの配管・配線条件にも対処できる。
【００７０】
また、補助配管や電気配線のいずれか一方のみを引き出す場合は、パネルブッシング３１に設けたスリット３２からノックアウト除去して開口部を確保し、パネルブッシング３１自体は前面パネル２０に取付けたままとすればよい。
【００７１】
図７に示すように、室内ユニット内における補助配管Ｈの反発による浮きを防止する構成を採用してもよい。
すなわち、後板４の下端部は吹出し口１０に至る送風路９を形成するため前方に向かって湾曲成される。後板４は予め被空調室の壁面に取付けられる据付け板３５に取付けられるのであるが、この据付け板３５と後板４下部背面側に空間スペースＳａを有する。
【００７２】
この空間スペースＳａに室内熱交換器から延出される補助配管Ｈや、下部ドレンパン６から延出されるドレンホースＤ、あるいは図示しない電線が並んで収容される。
【００７３】
また、冷凍サイクル運転にともなって補助配管Ｈの外周面が冷却され露付きが生じ易く、ドレンホースＤにも低温のドレン水が流通するので、この外周面が冷却され露付きが生じ易い。
【００７４】
これら補助配管ＨとドレンホースＤが後板４に接触すると、熱伝達して後板４が冷却されてしまうため、普通、後板４外面に貼着される断熱材３６が、補助配管ＨおよびドレンホースＤと後板４との間に介在している。
【００７５】
このような状態で空間スペースＳａに補助配管ＨとドレンホースＤを収容すると、これら補助配管ＨやドレンホースＤは窮屈な状態となる。特に、補助配管Ｈは金属管であり、かつ据付け板３５は被空調室壁面Ｗに取付け固定されているから、後板４下端部に補助配管Ｈの反発が集中する。すなわち、そのままでは後板４の下端部が据付け板３５から離間する、いわゆる浮きが発生する。
【００７６】
このような後板４下端部の浮き防止をなすため、据付け板３５の下端部が前方に折り曲げられ、かつ斜め後方に折曲される支持用鍔部３７が形成される。
一方、後板４の下端部は背面側に延出され、上記補助配管ＨとドレンホースＤを収容する空間スペースＳａを閉塞する。この延出端部は折曲され上記支持用鍔部３７に密接する折曲片３８が形成される。
【００７７】
後板折曲片３８と据付け板支持用鍔部３７は取付けねじ２２によって連結固定される。したがって、取付けねじ２２は後板４下端部を据付け板３５下端部に強固に取付け固定することとなり、上記空間スペースＳａに収容される補助配管Ｈの反発があっても後板４下端部の浮きは防止される。
【００７８】
そして、このままでは上記取付けねじ２２が被空調室に露出して外観を損なうので、前面パネル２０の下端部を被空調室壁面Ｗに接触する位置まで延出させ、取付けねじ２２を被空調室内から遮蔽する。
【００７９】
【発明の効果】
以上説明したように本発明によれば、固定手段の採用により、空気調和機本体内での空気清浄装置と熱交換器との取付け位置関係のばらつきをなくして、組立て作業の容易化と、組立て精度の向上を得るなどの効果を奏する。
【００８０】
なお、上部が背面側に傾斜して配置される室内熱交換器の上部前方に空気清浄装置を取付ける場合の、取付けねじの取付け方向を水平に統一して、作業性の向上を得ることもできる。
【図面の簡単な説明】
【図１】本発明の一実施の形態を示し、後板に対する空気清浄装置と室内熱交換器の固定構造を説明する図。
【図２】同実施の形態の、室内ユニットの外観斜視図。
【図３】同実施の形態の、室内ユニットの外観正面図。
【図４】同実施の形態の、室内ユニットの断面図。
【図５】同実施の形態の、室内ユニットの一部斜視図と室内熱交換器の一部側面図。
【図６】同実施の形態の、パネルブッシングの斜視図。
【図７】他の実施の形態の、室内ユニットの一部断面図。
【符号の説明】
４…後板、
１…空気調和機本体（室内ユニット）、
５…室内熱交換器、
１２…空気清浄装置、
Ｋ…固定手段、
２１…固定板、
２２ａ〜２２ｃ…取付け具（取付けねじ）、
５Ａ…前側熱交換器部、
５Ｂ…後側熱交換器部、
２３…立上げ部、
Ｆ…フィン、
Ｔ…端板。
【図１】
0003676547.tif 000002
【図２】
0003676547.tif 000003
【図３】
0003676547.tif 000004
【図４】
0003676547.tif 000005
【図５】
0003676547.tif 000006
【図６】
0003676547.tif 000007
【図７】
0003676547.tif 000008